(57)【特許請求の範囲】
【請求項１】
アッパー７と、前記アッパー７の少なくとも一部に付着されるスタビライザと、を有する靴であって、
前記スタビライザは、ミッドソール１と、前記ミッドソール１の後足部５Ｒに配置されたカウンタ６とを備え、
前記カウンタ６は、前記アッパーの前記後足部５Ｒの表面に付着されたカウンタ本体６０と、前記カウンタ本体６０から下方に向かって延び、かつ、前記ミッドソール１の後足部５Ｒの内側ＭＥおよび／または外側ＬＡの側面ＳＦを覆うと共に前記側面ＳＦに付着された、少なくとも１つのスカート６Ｍ、６Ｌと、を有し、
前記少なくとも１つのスカート６Ｍ、６Ｌは、前記ミッドソール１の側面ＳＦまたは背面ＢＦに配置された後端６Ｅを有しており、前記ミッドソール１の背面ＢＦの周方向の少なくとも一部には前記スカート６Ｍ、６Ｌが配置されずに露出した露出部を備える、靴。
【請求項２】
請求項１の靴において、
前記少なくとも１つのスカート６Ｍ、６Ｌは、前記ミッドソール１の後足部５Ｒの内側ＭＥおよび／または外側ＬＡの側面ＳＦに付着されたワイド部６Ｗと、前記ワイド部６Ｗに連なり、前記側面ＳＦおよび／または前記ミッドソール１の背面ＢＦにおいて前記ミッドソール１を覆う高さ方向の幅Ｈが前記ワイド部６Ｗのそれよりも小さい第１幅小部６１とを備える。
【請求項３】
請求項２の靴において、
前記少なくとも１つのスカート６Ｍ、６Ｌの前記第１幅小部６１の下端ライン６１Ｌは前記ミッドソール１の後足部５Ｒの前記内側ＭＥおよび／または外側ＬＡの側面ＳＦおよび／または前記ミッドソール１の前記背面ＢＦにおいて後方Ｄ２の斜め上方に向かって延びる。
【請求項４】
請求項２もしくは３の靴において、
前記ワイド部６Ｗに連なり、前記ワイド部６Ｗから前方Ｄ１に延びる部位において前記ミッドソール１を覆う高さ方向の幅Ｈが前記ワイド部６Ｗのそれよりも小さい第２幅小部６２を前記少なくとも１つのスカート６Ｍ、６Ｌが更に備える。
【請求項５】
請求項４の靴において、
前記少なくとも１つのスカート６Ｍ、６Ｌの第２幅小部６２の下端のライン６２Ｌは前記内側ＭＥおよび／または外側ＬＡの側面ＳＦにおいて前方Ｄ１の斜め上方に向かって延びる。
【請求項６】
請求項１〜５の靴において、
前記カウンタ６は前記カウンタ本体６０に連なり前記カウンタ本体６０から前記後足部５Ｒの中央ＣＥに向かって突出するフランジ６Ｆを更に備える。
【請求項７】
請求項６の靴において、
前記フランジ６Ｆは、その平面視がＵ字状に形成されている。
【請求項８】
請求項６もしくは７の靴において、
前記ミッドソール１の上面１Ｕには前記フランジ６Ｆが適合される段部１１が形成されている。
【請求項９】
請求項１〜８のいずれか１項の靴において、
前記カウンタ本体６０は前記アッパーの前記後足部５Ｒの内側面から背面ＢＦを通って外側面までを覆い、平面視においてＵ字状に形成されている。
【請求項１０】
請求項１〜９のいずれか１項の靴において、
前記少なくとも１つのスカート６Ｍ、６Ｌは前記内側ＭＥおよび前記外側ＬＡのうちの少なくとも前記内側ＭＥに設けられている。
【請求項１１】
請求項１〜９のいずれか１項の靴において、
前記少なくとも１つのスカート６Ｍ、６Ｌは前記内側ＭＥおよび前記外側ＬＡのうちの少なくとも前記外側ＬＡに設けられている。
【請求項１２】
請求項１もしくは２の靴において、
前記少なくとも１つのスカート６Ｍ、６Ｌは前記内側ＭＥおよび前記外側ＬＡの双方に設けられている。
【請求項１３】
路面に接地する接地面を持つアウトソール２と、前記アウトソール２の上に配置され着用者の前足の少なくとも一部を覆うミッドソール１とを有するスタビライザを備えた靴であって、
前記ミッドソール１は：
樹脂の発泡体で形成された主ミッドソール４と、前記主ミッドソール４の上に配置され樹脂の発泡体で形成された少なくとも１つの副ミッドソール３Ｍ，３Ｌとを有し、
前記少なくとも１つの副ミッドソール３Ｍ，３Ｌの硬度は前記主ミッドソール４の硬度よりも大きく、
前記少なくとも１つの副ミッドソール３Ｍ，３Ｌは、前足部５Ｆの内側ＭＥおよび／または外側ＬＡにおいて着用者の母趾Ｂ１および／または小趾Ｂ５の裏面を覆うベース３０と、前記内側ＭＥまたは前記外側ＬＡにおいて、かつ、前後方向に互いに離間した位置において、前記ベース３０に連なり前記ベース３０から上方に巻き上がる２つの硬巻上部３１，３２とを備える。
【請求項１４】
請求項１３の靴において、
前記主ミッドソール４は前記少なくとも１つの副ミッドソール３Ｍ，３Ｌの前記ベース３０が嵌る嵌合凹所４３を定義する。
【請求項１５】
請求項１４の靴において、
前記主ミッドソール４は、前記２つの硬巻上部３１，３２の間に配置され、該主ミッドソール４のベース４０に連なり前記ベース４０から巻き上がる軟巻上部４２を更に備える。
【請求項１６】
請求項１５の靴において、
前記嵌合凹所４３と前記軟巻上部４２に囲まれ、かつ、前記軟巻上部４２に連なる突部４１を前記主ミッドソール４が備える。
【請求項１７】
請求項１６の靴において、
前記少なくとも１つの副ミッドソール３Ｍ，３Ｌは、前記突部４１において括れた切欠き３３を定義している。
【請求項１８】
請求項１３〜１７のいずれか１項の靴において、
少なくとも前記外側ＬＡに前記副ミッドソール３Ｌが設けられ、前記外側ＬＡの前記副ミッドソール３Ｌに前記２つの硬巻上部３１，３２が設けられている。
【請求項１９】
請求項１８の靴において、
前記２つの硬巻上部３１，３２のうち、前方の硬巻上部３１の前端３１Ｅが小趾球Ｏ５よりも前方Ｄ１に配置され、かつ、後方の硬巻上部３２の後端３２Ｅが前記小趾球Ｏ５よりも後方Ｄ２に配置されている。
【請求項２０】
請求項１３〜１７のいずれか１項の靴において、
前記少なくとも１つの副ミッドソール３Ｍ，３Ｌは前記内側ＭＥと前記外側ＬＡの一対の副ミッドソール３Ｍ，３Ｌを包含し、
前記一対の副ミッドソール３Ｍ，３Ｌには、共に、前記２つの硬巻上部３１，３２が設けられている。
【請求項２１】
請求項２０の靴において、
前記内側の２つの硬巻上部３１，３２のうち、前方の硬巻上部３１の前端３１Ｅが母趾球Ｏ１よりも前方Ｄ１に配置され、かつ、後方Ｄ２の硬巻上部３２の後端３２Ｅが前記母趾球Ｏ１よりも後方Ｄ２に配置され、
前記外側ＬＡの２つの硬巻上部３１，３２のうち、前方Ｄ１の硬巻上部３１の前端３１Ｅが小趾球Ｏ５よりも前方Ｄ１に配置され、かつ、後方の硬巻上部３２の後端３２Ｅが前記小趾球Ｏ５よりも後方Ｄ２に配置されている。
【請求項２２】
請求項１３〜２１のいずれか１項の靴において、
前記少なくとも１つの副ミッドソール３Ｍ，３Ｌは前記内側ＭＥと前記外側ＬＡの一対の副ミッドソール３Ｍ，３Ｌを包含し、
前記一対の副ミッドソール３Ｍ，３Ｌは、前記内側ＭＥと前記外側ＬＡとに互いに離間して配置されている。
【発明の詳細な説明】
【技術分野】
【０００１】
本発明はスタビライザを有する靴に関する。
【背景技術】
【０００２】
後足のスタビライザとして、走行ないし歩行時等に踵の安定を図るためのヒールカウンタは周知である。
また、前足のスタビライザとして、走行ないし歩行時等に前足の内外へ横振れを抑制する巻上構造は周知である。
【先行技術文献】
【特許文献】
【０００３】
【特許文献１】ＪＰ０９−２１５５０１Ａ（図６、図３）
【特許文献２】ＪＰ１０−１０８７０９Ａ（フロントページ）
【特許文献３】ＪＰ２００２−２６２９０７Ａ（フロントページ）
【特許文献４】ＪＰ６０−１３５００３Ａ（ＦＩＧ５）
【特許文献５】ＪＰ０７−８３０４Ａ（図１）
【特許文献６】ＷＯ２０１３／１６８２５６Ａ１（要約）
【特許文献７】ＪＰ２００３−９９０６Ａ（図３）
【発明の概要】
【０００４】
スタビライザは前記横振れを抑制する一方で、足を拘束する。そのため、着用感の低下する要因となる。
したがって、本発明の目的は着用感が低下するのを防止しつつ、足の横振れを抑制し得るスタビライザを有する靴を提供することである。
【０００５】
たとえば、ＪＰ６０−１３５００３Ａには、ミッドソールの後足部の側面および背面を覆うＵ字状のカウンタが開示されている。前記カウンタは後足の横振れを抑制するだろう。しかし、前記ミッドソールの後足部の側面および背面を覆う前記カウンタはミッドソールの変形を阻害するだろう。そのため、後足部のクッション性能を低下させ、着用者は走行や歩行の着地時にファストストライクの大きな衝撃を感じ易いかもしれない。
【０００６】
たとえばＪＰ０７−８３０４Ａには、非発泡体の硬質の補強部材の立ち上げ部が開示されている。この立ち上げ部は前足の横振れを抑制するだろう。しかし、前記非発泡体の硬質の補強部材の立ち上げ部はミッドソールの前足部が屈曲変形するのを著しく阻害するだろう。そのため、着用者は走行や歩行時に屈曲のための抵抗を感じ易いかもしれない。
【０００７】
第１局面において本発明は、アッパー７と、前記アッパー７の少なくとも一部に付着されるスタビライザと、を有する靴であって、
前記スタビライザは、ミッドソール１と、前記ミッドソール１の後足部５Ｒに配置されたカウンタ６とを備え、
前記カウンタ６は、前記アッパーの前記後足部５Ｒの表面に付着されたカウンタ本体６０と、前記カウンタ本体６０から下方に向かって延び、かつ、前記ミッドソール１の後足部５Ｒの内側ＭＥおよび／または外側ＬＡの側面ＳＦを覆うと共に前記側面ＳＦに付着された、少なくとも１つのスカート６Ｍ、６Ｌと、を有し、
前記少なくとも１つのスカート６Ｍ、６Ｌは、前記ミッドソール１の側面ＳＦまたは背面ＢＦに配置された後端６Ｅを有しており、前記ミッドソール１の背面ＢＦの周方向の少なくとも一部には前記スカート６Ｍ、６Ｌが配置されずに露出した露出部を備える。
【０００８】
本第１局面において、カウンタ本体と一体のスカートはカウンタの剛性を高める。また、スカートはミッドソールに付着され前記ミッドソールの側面を覆うことで、前記カウンタの剛性を更に高めると共にミッドソールの変形を抑制する。そのため、スカートが設けられた内側および／または外側において、後足の横振れ抑制機能が著しく向上する。
【０００９】
一方、前記スカートが付着されていないミッドソール背面の露出部位は、ミッドソール本来のクッション性能を発揮し得る。したがって、走行や歩行時に後足の後端から着地する際に生じるファストストライクの衝撃は前記ミッドソールの後端によって緩衝される。
【００１０】
第１局面において、「カウンタ本体６０から下方に向かって延びる」とは、スカートがカウンタ本体と一体に形成されていることを意味する。
また、「側面ＳＦまたは背面ＢＦに配置された」とは、直線的に後方に延びる側面、背面または前記内外の側面と背面を連ねるコーナーに後端が配置されていることを意味する。
「背面」とは、背後から見ることのできる面のうち、ミッドソールの後足部の最大幅の１／３程度の中央部分を意味する。
【００１１】
第１局面において、ミッドソール１の前記背面ＢＦの少なくとも一部がスカートに覆われずに露出していればよく、例えば背面の中央までスカートが延びていてもよい。ファストストライクの衝撃は、後足の中央よりも外側の方が大きい場合が多いからである。
【００１２】
第２局面において本発明は、路面に接地する接地面を持つアウトソール２と、前記アウトソール２の上に配置され着用者の前足の少なくとも一部を覆うミッドソール１とを有するスタビライザを備えた靴であって、
前記ミッドソール１は：
樹脂の発泡体で形成された主ミッドソール４と、前記主ミッドソール４の上に配置され樹脂の発泡体で形成された少なくとも１つの副ミッドソール３Ｍ，３Ｌとを有し、
前記少なくとも１つの副ミッドソール３Ｍ，３Ｌの硬度は前記主ミッドソール４の硬度よりも大きく、
前記少なくとも１つの副ミッドソール３Ｍ，３Ｌは、前足部５Ｆの内側ＭＥおよび／または外側ＬＡにおいて着用者の母趾Ｂ１および／または小趾Ｂ５の裏面を覆うベース３０と、前記内側ＭＥまたは前記外側ＬＡにおいて、かつ、前後方向に互いに離間した位置において、前記ベース３０に連なり前記ベース３０から上方に巻き上がる２つの硬巻上部３１，３２とを備える。
【００１３】
本第２局面において、主ミッドソール４よりも硬い副ミッドソールは前足部５Ｆにおいて前後に互いに離間した２つの硬巻上部３１，３２を形成する。この２つの硬巻上部３１，３２は倒れにくく、前足部５Ｆの前後方向に互いに離間した広い領域において、前足部５Ｆの横振れを抑制し得る。
【００１４】
比較的硬い２つの硬巻上部３１，３２は前後方向に互いに離間しており、そのため、２つの硬巻上部３１，３２の間においてミッドソール１の側面が屈曲し易い。特に、２つ硬巻上部を含む副ミッドソールは硬質の樹脂の非発泡体と異なり、樹脂の発泡体で形成され、そのため、ベース３０及び前記２つの硬巻上部３１，３２も適度に屈曲し易い。したがって、走行や歩行時に屈曲のための抵抗を感じ難いだろう。
【００１５】
また、柔軟なミッドソール１は屈曲を繰り返すうちに、発泡体の組織が疲労し、前足部において剛性が経時的に弱くなって劣化し易い。これに対し、硬い副ミッドソールは前記剛性の劣化を抑制するだろう。
【００１６】
本明細書において、主ミッドソールと副ミッドソールのＣ硬度による硬度差は、３度〜２５度程度が好ましく、より好ましくは４度〜２０度程度である。硬度差が小さいと前記効果が得にくい。一方、硬度差が大きすぎると実用的な硬度範囲から外れ易くなる。
【００１７】
かかる観点から、副ミッドソールの硬度は、例えばＪＩＳ  Ｃ硬度で、５９度〜７２度程度に設定され、より好ましくは６１度〜６９度程度に設定される。
一方、主ミッドソールの硬度は、例えば、ＪＩＳ  Ｃ硬度で、４７度〜６２度程度に設定され、好ましくは４９度〜５７度程度に設定される。
なお、本明細書において、Ｃ硬度とは、ＪＩＳ  Ｋ  ７３１２のＣ型の硬度計により測定した値を意味する。
【図面の簡単な説明】
【００１８】
【図１】図１Ａおよび図１Ｂは、それぞれ、本発明の一実施例の靴を示し、アッパーおよびアウトソールを二点鎖線で示す靴の概略の内側面図および外側面図である。  これらの図において、ミッドソールの高硬度の部位には密度の大きいドット模様が付され、低硬度の部位には密度の粗いドット模様が付されている。
【図２】図２Ａおよび図２Ｂは、それぞれ、同靴の後足部の背面図および斜視図である。
【図３】図３はミッドソールおよびカウンタを斜め前方から見た斜視図である。
【図４】図４Ａおよび図４Ｂは、それぞれ、斜め後方から見たミッドソールの後足部にカウンタを装着した状態のスタビライザの内側斜視図およびで外側斜視図ある。
【図５】ミッドソールの後足部およびカウンタの分解斜視図である。
【図６】ミッドソールおよびカウンタと足の骨格との関係を示す平面図である。
【図７】図７Ａ、図７Ｂ、図７Ｃおよび図７Ｄは、それぞれ、図６の断面線におけるソールおよびカウンタの断面図である。
【図８】図８Ａ、図８Ｂおよび図８Ｃは、それぞれ、図６の断面線におけるソールおよびカウンタの断面図である。
【図９】図９はミッドソールの前足部のスタビライザを示す斜視図である。
【図１０】図１０は同分解斜視図である。
【図１１】図１１Ａおよび図１１Ｂは、それぞれ、静止立位および屈曲状態における靴の内側面図および外側面図である。これらの図において、静止立位および屈曲状態の主ミッドソールには、それぞれ、ドット模様および斜線が施されている。
【発明を実施するための形態】
【００１９】
以下、前記第１局面の好ましい態様が説明される。
第１局面において好ましくは、少なくとも１つのスカート６Ｍ、６Ｌが、前記ミッドソール１の後足部５Ｒの内側ＭＥおよび／または外側ＬＡの側面ＳＦに付着されたワイド部６Ｗと、ワイド部６Ｗに連なり、側面ＳＦおよび／またはミッドソール１の背面ＢＦにおいて前記ミッドソール１を覆う高さ方向の幅Ｈがワイド部６Ｗのそれよりも小さい第１幅小部６１とを備える。
【００２０】
スカートは第１幅小部６１において高さ方向の幅Ｈがワイド部６Ｗよりも小さい。この幅Ｈが小さい第１幅小部６１は後足の横振抑制の機能と後足の後端におけるクッション性能を発揮するだろう。
【００２１】
第１局面において更に好ましくは、スカート６Ｍ、６Ｌの第１幅小部６１の下端ライン６１Ｌはミッドソール１の後足部５Ｒの内側ＭＥおよび／または外側ＬＡの側面ＳＦおよび／またはミッドソール１の背面ＢＦにおいて後方Ｄ２の斜め上方に向かって延びる。
【００２２】
この場合、第１幅小部６１の幅Ｈが背面ＢＦに向かって小さくなるから、前記後足の横振抑制の機能およびクッション性能が滑らかに変化するだろう。
また、前記第１幅小部６１はワイド部６Ｗおよびカウンタ本体６０の双方に滑らかに連なり、ワイド部６Ｗの剛性をアップさせるのに役立つだろう。そのため、横振抑制の機能が向上するであろう。
【００２３】
第１局面において更に好ましくは、ワイド部６Ｗに連なり、ワイド部６Ｗから前方Ｄ１に延びる部位においてミッドソール１を覆う高さ方向の幅Ｈがワイド部６Ｗのそれよりも小さい第２幅小部６２を少なくとも１つのスカート６Ｍ，６Ｌが更に備える。
【００２４】
スカートは第２幅小部６２において高さ方向の幅Ｈがワイド部６Ｗよりも小さい。この幅Ｈが小さい第２幅小部６２はワイド部６Ｗよりも前方の部位においての横振抑制の機能とクッション性能を発揮するだろう。
【００２５】
第１局面において更に好ましくは、少なくとも１つのスカート６Ｍ、６Ｌの第２幅小部６２の下端のライン６２Ｌは内側ＭＥおよび／または外側ＬＡの側面ＳＦにおいて前方Ｄ１の斜め上方に向かって延びる。
【００２６】
この場合、第２幅小部６２の幅Ｈが前方Ｄ１に向かって小さくなるから、前記横振抑制の機能およびクッション性能が滑らかに変化するだろう。
また、第２幅小部６２はワイド部６Ｗおよびカウンタ本体６０の双方に滑らかに連なっており、ワイド部６Ｗの剛性をアップさせるのに役立つだろう。そのため、横振抑制の機能が向上するであろう。
【００２７】
第１局面において好ましくは、カウンタ６はカウンタ本体６０に連なりカウンタ本体６０から後足部５Ｒの中央ＣＥに向かって突出するフランジ６Ｆを更に備える。
【００２８】
このように後足部５Ｒの中央ＣＥに向かって突出するフランジ６Ｆは、足裏を支持するのに役立つ。
ここで、中央ＣＥとは中心よりも広い概念で、内側と外側との間で、かつ、中足部の後端と後足部の後端の間の領域を意味する。
【００２９】
なお、前足部、中足部および後足部とは、それぞれ、足の前足、中足および後足を覆う部位を意味する。前足は５本の中足骨と１４個の趾骨からなる。中足は舟状骨、立方骨および３個の楔状骨からなる。後足は中足よりも後方の部位である。
【００３０】
第１局面において更に好ましくは、フランジ６Ｆは、その平面視がＵ字状に形成されている。
【００３１】
Ｕ字状のフランジ６Ｆはカウンタ６の２つの前端同士が拡がるように変形するのを抑制し、そのため、カウンタ６の剛性を著しく増大させる。したがって、後足の横振れ防止機能が著しく向上する。
また、Ｕ字状のフランジ６Ｆは後足の中央ＣＥを支持せず、そのため、後足部のクッション性能が低下するおそれがない。
【００３２】
第１局面において更に好ましくは、ミッドソール１の上面１Ｕにはフランジ６Ｆが適合される段部１１が形成されている。
【００３３】
この場合、カウンタ６のフランジ６Ｆが段部に適合され、フランジ６Ｆがソール１の上面に滑らかに連なる。したがって、フランジ６Ｆが足裏に違和感を感じさせるおそれがない。
【００３４】
第１局面において好ましくは、カウンタ本体６０はアッパーの後足部５Ｒの内側面から背面ＢＦを通って外側面までを覆い、平面視においてＵ字状に形成されている。
【００３５】
かかるＵ字状のカウンタ本体６０は、アッパーを介して後足を支え、そのため、後足の横振れを抑制する。
【００３６】
第１局面において、前記スカート６Ｍ、６Ｌは内側ＭＥおよび外側ＬＡのうちの少なくとも内側ＭＥに設けられていてもよい。
【００３７】
かかる内側ＭＥのスカート６Ｍは後足部の内側のミッドソールの圧縮変形を抑制し、そのため、過回内の抑制に寄与するだろう。
【００３８】
ここで、「スカートが少なくとも内側ＭＥに設けられている」とは、スカートが外側の側面または背面の一部を覆っていてもよいことを意味する。
また、前記スカートは前記内側および外側のうちの内側にのみ設けられていてもよい。この場合、スカートは背面に存在してもよいが外側には設けられていない。
【００３９】
第１局面において、前記スカートは内側ＭＥおよび外側ＬＡのうちの少なくとも外側ＬＡに設けられていてもよい。
【００４０】
かかる外側ＬＡのスカート６Ｌは後足部の外側のミッドソールの圧縮変形を抑制し、そのため過回外の抑制に寄与するだろう。
【００４１】
ここで、「スカートが少なくとも外側ＬＡに設けられている」とは、スカートが内側の側面または背面の一部を覆っていてもよいことを意味する。
また、前記スカートは前記内側および外側のうちの外側にのみ設けられていてもよい。この場合、スカートは背面に存在してもよいが内側には設けられていない。
【００４２】
第１局面において、前記スカートは内側ＭＥおよび外側ＬＡの双方に設けられていてもよい。
【００４３】
かかる内外のスカート６Ｍ，６Ｌは過回内および過回外の双方の抑制に役立つだろう。
この場合、スカートは背面の一部を覆っていてもよい。
また、前記内側のスカートの面積は前記外側のスカートのそれよりも大きくてもよい。あるいは、前記外側のスカートの面積は前記内側のスカートのそれよりも大きくてもよい。あるいは、２つのスカートは同程度の大きさでもよい。
【００４４】
以下、前記第２局面の好ましい態様が説明される。
【００４５】
第２局面において好ましくは、主ミッドソール４は少なくとも１つの副ミッドソール３Ｍ，３Ｌのベース３０が嵌る嵌合凹所４３を定義する。
【００４６】
かかる嵌合凹所４３に副ミッドソールが嵌ることで、副ミッドソールや前記硬巻上部３１，３２が主ミッドソール４に対して正確に位置決めされる。
【００４７】
第１局面において更に好ましくは、主ミッドソール４は、２つの硬巻上部３１，３２の間に配置され、該主ミッドソール４のベース４０に連なりベース４０から巻き上がる軟巻上部４２を更に備える。
【００４８】
軟巻上部４２は前後に離間した硬巻上部３１，３２の間に配置され、そのため、２つの硬巻上部３１，３２の間の横振れ抑制機能が弱い部分を強化する。したがって、横振れ抑制機能が更に高まる。
一方、主ミッドソール４の軟巻上部４２は２つの硬巻上部３１，３２に比べ硬度が小さい。そのため、ミッドソールが屈曲しにくくなる弊害を抑制し、屈曲のための抵抗を感じにくいだろう。
【００４９】
第２局面において好ましくは、嵌合凹所４３と軟巻上部４２に囲まれ、かつ、軟巻上部４２に連なる突部４１を主ミッドソール４が備える。
【００５０】
主ミッドソール４は副ミッドソールのベース３０の下に配置され、そのため、前記副ミッドソールのベース３０に相当する部位は厚さが小さい。かかる厚さの小さい部位から軟巻上部４２を巻き上げた場合、軟巻上部４２が倒れ易くなり、十分な横振れ防止機能が発揮できないかもしれない。
これに対し、軟巻上部４２に連なる突部４１は軟巻上部４２の倒れを抑制し、そのため、高い横振れ防止機能が期待できる。
【００５１】
第２局面において好ましくは、副ミッドソール３Ｍ，３Ｌが、突部４１において括れた切欠き３３を定義している。
【００５２】
かかる副ミッドソールの切欠き３３はミッドソールが所期の部位で屈曲するのに役立つ。
【００５３】
第２局面において好ましくは、少なくとも外側ＬＡに副ミッドソール３Ｌが設けられ、外側ＬＡの副ミッドソール３Ｌに２つの硬巻上部３１，３２が設けられている。
【００５４】
前足の横振れは一般に足の外側に生じ易く、かかる横振れを抑制し得る。
なお、少なくとも内側ＭＥに２つの硬巻上部３１，３２を有する副ミッドソール３Ｍが設けられていてもよい。
【００５５】
第２局面において更に好ましくは、２つの硬巻上部３１，３２のうち、前方の硬巻上部３１の前端３１Ｅが小趾球Ｏ５よりも前方Ｄ１に配置され、かつ、後方の硬巻上部３２の後端３２Ｅが小趾球Ｏ５よりも後方Ｄ２に配置されている。
【００５６】
足の外側の屈曲は、一般に、小趾球Ｏ５の近傍において大きく、そのため、ミッドソール１も小趾球Ｏ５の近傍において大きく屈曲する。外側ＬＡにおける前記２つの硬巻上部３１，３２の配置は、足の外側の適正な屈曲を促すだろう。
【００５７】
第２局面において好ましくは、前記副ミッドソールは内側ＭＥと外側ＬＡの一対の副ミッドソール３Ｍ，３Ｌを包含し、一対の副ミッドソール３Ｍ，３Ｌには、共に、２つの硬巻上部３１，３２が設けられている。
【００５８】
この場合、前足の内外において、横振れ防止機能等の向上が図られる。
【００５９】
第２局面において更に好ましくは、内側の２つの硬巻上部３１，３２のうち、前方の硬巻上部３１の前端３１Ｅが母趾球Ｏ１よりも前方Ｄ１に配置され、かつ、後方Ｄ２の硬巻上部３２の後端３２Ｅが母趾球Ｏ１よりも後方Ｄ２に配置され、
外側ＬＡの２つの硬巻上部３１，３２のうち、前方Ｄ１の硬巻上部３１の前端３１Ｅが小趾球Ｏ５よりも前方Ｄ１に配置され、かつ、後方の硬巻上部３２の後端３２Ｅが小趾球Ｏ５よりも後方Ｄ２に配置されている。
【００６０】
足の内側および外側の屈曲は、一般に、母趾球Ｏ１および小趾球Ｏ５の近傍において大きく、そのため、ミッドソール１も母趾球Ｏ１および小趾球Ｏ５の近傍において大きく屈曲する。内側ＭＥおよび前記外側ＬＡにおける２つの硬巻上部３１，３２の配置は足の内側および外側の適正な屈曲を促すだろう。
【００６１】
第２局面において好ましくは、副ミッドソールは内側ＭＥと外側ＬＡの一対の副ミッドソール３Ｍ，３Ｌを包含し、
一対の副ミッドソール３Ｍ，３Ｌは、内側ＭＥと外側ＬＡとに互いに離間して配置されている。
【００６２】
この場合、前足の内外において、横振れ防止機能等の向上が図られる。更に、一対の副ミッドソールが内外に互いに離間していることにより、副ミッドソールの硬度が大きくても、屈曲しにくいなどの弊害が生じにくい。
【００６３】
各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００６４】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００６５】
以下、本発明の一実施例を図面にしたがって説明する。【００６６】
本実施例は例えばトレイルランニングやウォーキング用の靴である。
図１Ａおよび図１Ｂにおいて、ソールは路面に接地する接地面を持つアウトソール２と、アウトソール２の上に配置されたミッドソール１とを備える。
なお、靴底の上には足の甲を包むアッパー７が設けられている。【００６７】
図６に示すように、ミッドソール１は前足部５Ｆ、中足部５Ｍおよび後足部５Ｒにおいて足裏を覆う。図１Ａおよび図１Ｂのミッドソール１は例えばＥＶＡのような樹脂製の発泡体からなる主ミッドソール４および副ミッドソール３Ｍ，３Ｌを備える。なお、「樹脂製」とは、熱可塑性等の樹脂成分を有するという意味で、任意の適宜の他の成分を含む。また、ミッドソール１には低反発材、高反発材および溝などが設けられてもよい。【００６８】
アウトソール２はミッドソール１の発泡体よりも耐摩耗性の大きいゴム製の接地底で、一般に、ミッドソール１の発泡体よりも硬度が大きい。なお、「ゴム製」とは天然ゴムや合成ゴムの成分を有するという意味で、任意の他の成分を含む。【００６９】
図７Ａ〜図７Ｄおよび図８Ａ〜図８Ｃに示すように、アウトソール２は複雑な凹凸を有していてもよいが、作図の都合上、その他の図においては単純な形状で、かつ、二点鎖線で示されている。なお、図１Ａのように、発明を理解し易くするために、アッパー７はその包落線を二点鎖線で示している。【００７０】
以下、後足部５Ｒのスタビライザの構造が説明される。【００７１】
後足部５Ｒのスタビライザはアッパー７の少なくとも一部に付着される。前記スタビライザは、ミッドソール１と、ミッドソール１の後足部５Ｒに配置されたカウンタ６とを備える。カウンタ６は内外が概ね対称な形状および構造を有し、カウンタ本体６０と内外のスカート６Ｍ，６Ｌとを有する。【００７２】
カウンタ本体６０はアッパー７の後足部５Ｒの表面に接着および／または溶着されて付着されている。図３に示すように、カウンタ本体６０はアッパー７（図１Ａ、図１Ｂ）の後足部５Ｒの内側面から背面ＢＦを通って外側面までを覆い、平面視において（図６参照）Ｕ字状に形成されている。【００７３】
カウンタ６はカウンタ本体６０に一体に連なりカウンタ本体６０から後足部５Ｒの中央ＣＥに向かって突出するフランジ６Ｆを更に備える。フランジ６Ｆは、図６に示すように、その平面視がＵ字状に連なった状態で形成されている。図５に示すように、ミッドソール１の上面１Ｕにはフランジ６Ｆが適合される浅い第１段部１１が形成されている。【００７４】
つぎに、後足のスタビライザの要部が説明される。【００７５】
図１Ａおよび図１Ｂの内外のスカート６Ｍ，６Ｌは、それぞれ、カウンタ本体６０から下方に向かって延びる。本実施例の場合、内外のスカート６Ｍ，６Ｌは、それぞれ、内側および外側の双方に設けられており、図５の前記ミッドソール１の後足部５Ｒの内側ＭＥおよび外側ＬＡの側面ＳＦを覆うと共に側面ＳＦに接着および／または溶着されて付着されている。
図５、図８Ｂおよび図８Ｃに示すように、ミッドソール１の内外の側面ＳＦないし上面１Ｕには内外のスカート６Ｍ，６Ｌが嵌り込む深い第２段部１２が形成されている。第２段部１２から第１段部１１までのミッドソール１の側面ＳＦないし上面１Ｕにスカートが付着されている。【００７６】
図４Ａおよび図４Ｂに示すように、内外のスカート６Ｍ，６Ｌは、ミッドソール１の側面ＳＦから背面ＢＦに至るコーナーＣＯの部位に配置される後端６Ｅを有している。ミッドソール１の背面ＢＦはスカート６Ｍ，６Ｌが配置されずに露出した露出部１０を備える。【００７７】
すなわち、図７Ａの縦断面図のように、カウンタ６の背面の断面形状は「Ｊ」の字状である。一方、図８Ｂおよび図８Ｃの横断面図のように、前記カウンタ６の側面の断面形状は略「Ｙ」字状ないし「Ｔ」字状である。【００７８】
なお、図８Ｂ、図８Ｃおよび図５に示すように、本実施例の場合、カウンタ本体６０の上端は前方Ｄ１に向かって斜め下方に延びている。これにより中足部のねじれ剛性が適度な大きさとなるであろう。【００７９】
図４Ａおよび図４Ｂの各スカート６Ｍ，６Ｌは、共に、ワイド部６Ｗ、第１および第２幅小部６１、６２を備える。第１または第２幅小部６１,６２は、それぞれ、ワイド部６Ｗから後方Ｄ２または前方Ｄ１に延びている。【００８０】
各スカート６Ｍ，６Ｌのワイド部６Ｗは、ミッドソール１の後足部５Ｒの内側ＭＥまたは外側ＬＡの側面ＳＦに付着されている。【００８１】
第１幅小部６１はワイド部６Ｗに連なり、側面ＳＦからミッドソール１の背面ＢＦに至る部位においてミッドソール１を覆う高さ方向の幅Ｈがワイド部６Ｗのそれよりも小さい。各スカート６Ｍ，６Ｌの第１幅小部６１の下端ライン６１Ｌは、ミッドソール１の後足部５Ｒの内側ＭＥまたは外側ＬＡの側面ＳＦからミッドソール１の背面ＢＦにおいて後方Ｄ２の斜め上方に向かって延びる。【００８２】
第２幅小部６２はワイド部６Ｗに連なり、ワイド部６Ｗから前方Ｄ１に向かう部位においてミッドソール１を覆う高さ方向の幅Ｈがワイド部６Ｗのそれよりも小さい。各スカート６Ｍ，６Ｌの第２幅小部６２の下端のライン６２Ｌは内側ＭＥまたは外側ＬＡの側面ＳＦにおいて前方Ｄ１の斜め上方に向かって延びる。【００８３】
つぎに、図１Ａおよび図１Ｂの前足部５Ｆのスタビライザの構造が説明される。【００８４】
ミッドソール１は樹脂の発泡体で形成された主ミッドソール４と、主ミッドソール４の上に配置され樹脂の発泡体で形成された内外の副ミッドソール３Ｍ，３Ｌとを有する。各副ミッドソール３Ｍ，３Ｌの硬度は主ミッドソール４の硬度よりも大きい。【００８５】
各副ミッドソール３Ｍ，３Ｌは、図９および図１０のベース３０と２つの硬巻上部３１，３２とが一体に形成されている。図６の前記ベース３０は前足部５Ｆの内側ＭＥまたは外側ＬＡにおいて着用者の母趾Ｂ１または小趾Ｂ５の裏面を覆う。図１０の前記２つの硬巻上部３１，３２は、内側ＭＥおよび前記外側ＬＡにおいて、かつ、前後方向に互いに離間した位置において、ベース３０に連なりベース３０から上方に巻き上がる。【００８６】
硬巻上部３１，３２は、前足における横振れ抑制に役立つだろう。【００８７】
図９に示す一対の副ミッドソール３Ｍ，３Ｌは、内側ＭＥと外側ＬＡとに互いに離間して配置されている。したがって、前足部５Ｆの内外の中央部において、主ミッドソール４は一対の副ミッドソール３Ｍ，３Ｌに覆われずに露出している。図１０に示すように、主ミッドソール４は一対の副ミッドソール３Ｍ，３Ｌのベース３０が嵌る嵌合凹所４３を定義する。【００８８】
図１０の主ミッドソール４は軟巻上部４２および突部４１を備える。図１の軟巻上部４２は２つ硬巻上部３１，３２を分断するように、２つの硬巻上部３１，３２の間に配置されている。図１０の軟巻上部４２は主ミッドソール４のベース４０に連なりベース４０から巻き上がる。突部４１は嵌合凹所４３と軟巻上部４２とに囲まれ、かつ、軟巻上部４２に連なる。【００８９】
各副ミッドソール３Ｍ，３Ｌは突部４１に適合する括れた切欠き３３を定義している。切欠き３３には、硬巻上部３１，３２が設けられていない。【００９０】
図１Ａの内側の２つの硬巻上部３１，３２のうち、前方の硬巻上部３１の前端３１Ｅは母趾球Ｏ１よりも前方Ｄ１に配置され、かつ、後方Ｄ２の硬巻上部３２の後端３２Ｅは母趾球Ｏ１よりも後方Ｄ２に配置されている。
図１Ｂの外側ＬＡの２つの硬巻上部３１，３２のうち、前方Ｄ１の硬巻上部３１の前端３１Ｅは小趾球Ｏ５よりも前方Ｄ１に配置され、かつ、後方の硬巻上部３２の後端３２Ｅは前記小趾球Ｏ５よりも後方Ｄ２に配置されている。【００９１】
かかる配置は図１１Ａおよび図１１Ｂに示すように靴底が屈曲した場合に硬巻上部３１，３２による屈曲の抵抗を感じにくいだろう。【００９２】
以上のとおり、図面を参照しながら好適な実施例を説明したが、当業者であれば、本明細書を見て、自明な範囲内で種々の変更および修正を容易に想定するであろう。
たとえば、前足部または後足部のいずれか一方にのみスタビライザが設けられてもよい。
また、後足部において、スカートは内外のいずれか一方の側面にのみ設けられてもよい。
また、前足部において、副ミッドソールは内外のいずれか一方にのみ設けられてもよい。
また、発泡体のミッドソールは前足部または後足部の一方にのみ設けられていてもよい。
また、足の外側において前方の硬巻上部３１の前端３１Ｅおよび後方の硬巻上部３２の後端３２Ｅがともに小趾球Ｏ５よりも後方Ｄ２に配置されてもよい。例えば、足の外側において、２つの硬巻上部３１，３２のうち、前方の硬巻上部３１の前端３１Ｅが第５中足趾節間（ＭＰ）関節よりも後方に配置されたり、あるいは、後方の硬巻上部３２の後端３２Ｅが第５趾のリスフラン関節よりも前方に配置されてもよい。したがって、足の外側において、２つの硬巻上部３１，３２のうち、前方の硬巻上部３１の前端３１Ｅおよび後方の硬巻上部３２の後端３２Ｅが第５趾のリスフラン関節よりも前方に配置されていてもよい。
したがって、そのような変更および修正は、本発明の範囲のものと解釈される。
【産業上の利用可能性】
【００９３】
本発明はトレイルランニング用、登山用、クロスカントリー用の他に、ランニング用、ウォーキング用および日常的な靴に利用できる。
【符号の説明】
【００９４】
１：ミッドソール  １０：露出部  １１：第１段部  １２：第２段部  １Ｕ：上面
２：アウトソール  
３Ｍ，３Ｌ：副ミッドソール
３０：ベース  ３１，３２：硬巻上部  ３１Ｅ：前端  ３２Ｅ：後端  ３３：切欠き
４：主ミッドソール
４０：ベース  ４１：突部  ４２：軟巻上部  ４３：嵌合凹所
５Ｆ：前足部  ５Ｒ：後足部  
６：カウンタ  ６Ｍ，６Ｌ：スカート  ６Ｆ：フランジ  ６Ｅ：後端  ６Ｗ：ワイド部
６０：カウンタ本体  ６１：第１幅小部  ６２：第２幅小部  ６１Ｌ，６２Ｌ：下端ライン  
７：アッパー
Ｄ１：前方  Ｄ２：後方  Ｈ：高さ方向の幅
ＭＥ：内側  ＬＡ：外側  ＳＦ：側面  ＢＦ：背面
Ｂ１：母趾  Ｂ５：小趾
Ｏ１：母趾球  Ｏ５：小趾球
ＣＥ：中央  ＣＯ：コーナ  Ｈ：幅
【要約】
スタビライザは、ミッドソール（１）と、ミッドソールの後足部（５Ｒ）に配置されたカウンタ（６）とを備え、カウンタ（６）は、アッパーの後足部（５Ｒ）の表面に付着されたカウンタ本体（６０）と、カウンタ本体（６０）から下方に向かって延び、かつ、ミッドソール（１）の後足部（５Ｒ）の内側（ＭＥ）または外側（ＬＡ）の側面（ＳＦ）を覆うと共に側面に付着された、少なくとも１つのスカート（６Ｍ，６Ｌ）と、を有し、少なくとも１つのスカート（６Ｍ，６Ｌ）は、ミッドソール（１）の側面（ＳＦ）または背面（ＢＦ）に配置された後端（６Ｅ）を有しており、ミッドソール（１）の背面（ＢＦ）の周方向の少なくとも一部にはスカート（６Ｍ，６Ｌ）が配置されずに露出した露出部を備える。【図１】
0005875168.tif 000002
【図２】
0005875168.tif 000003
【図３】
0005875168.tif 000004
【図４】
0005875168.tif 000005
【図５】
0005875168.tif 000006
【図６】
0005875168.tif 000007
【図７】
0005875168.tif 000008
【図８】
0005875168.tif 000009
【図９】
0005875168.tif 000010
【図１０】
0005875168.tif 000011
【図１１】
0005875168.tif 000012